(57)【特許請求の範囲】
【請求項１】
自動販売機本体内部の商品収容庫で発生したドレン水を入口より導入して自身の内部を通過させ、出口を通じて前記商品収容庫の外部に排出するドレン受部材と、
前記ドレン受部材から排出されたドレン水を受け入れ、所定の蒸発部位まで移送させる樋部材と
を備えた自動販売機のドレン水処理装置において、
前記ドレン受部材は、空気の通過を規制し、かつ毛管現象により水分の通過を許容するシート状の閉塞部材にて前記ドレン水を通過させるための通路を閉塞してなることを特徴とする自動販売機のドレン水処理装置。
【請求項２】
前記ドレン受部材は、前記入口から前記出口に至る途中において、該入口及び該出口よりも相対的に下方となるトラップ部を有し、
前記閉塞部材は、
前記入口から前記トラップ部に至る途中の通路を閉塞する態様で配設され、かつ自身に切欠が形成された第１閉塞部と、
前記トラップ部から前記出口に至る途中の通路を閉塞する態様で配設された第２閉塞部と
を有することを特徴とする請求項１に記載の自動販売機のドレン水処理装置。
【発明の詳細な説明】
【技術分野】
【０００１】
本発明は、自動販売機のドレン水処理装置に関し、より詳細には、自動販売機本体内部に画成された商品収容庫で発生したドレン水を所定の蒸発部位まで移送させるドレン水処理装置に関するものである。
【背景技術】
【０００２】
従来、例えば缶入り飲料やペットボトル入り飲料等の商品を販売する自動販売機では、自動販売機本体である本体キャビネットの商品収容庫の内部（庫内）に冷凍サイクルの構成機器である蒸発器が設けられている。このような自動販売機では、商品収容庫の内部において冷凍サイクルの冷却運転により生じた結露水（主に蒸発器より発生）や蒸発器の除霜時に生じた除霜水がドレン水として発生する。そして、このようにして発生したドレン水を処理するために、自動販売機にはドレン水処理装置が設けられているのが一般的である。
【０００３】
ドレン水処理装置は、本体キャビネットの商品収容庫の下部となる機械室に、冷凍サイクルの構成機器である圧縮機、庫外送風ファン、凝縮器及び膨張機構等とともに設けられている。このようなドレン水処理装置は、ドレン受部材と樋部材とを備えて構成されている。
【０００４】
ドレン受部材は、商品収容庫毎に設けられており、各商品収容庫の底部に形成された排出孔に自身の入口が連通しており、該入口を通じてドレン水を導入し、自身の内部を通過させて、出口を通じてドレン水を商品収容庫の外部に排出するものである。このようなドレン受部材においては、入口から出口に至る途中において該入口及び該出口よりも相対的に下方となるトラップ部を有している。樋部材は、ドレン受部材から排出されたドレン水を受け入れ、機械室の所定個所に配設された蒸発皿まで移送させるものである。
【０００５】
かかる構成を有するドレン水処理装置は、ドレン受部材が商品収容庫内で発生したドレン水を入口より導入することになる。ここでドレン受部材は、トラップ部が入口及び出口よりも相対的に下方となることから、入口より導入したドレン水をトラップ部に貯留し、該トラップ部に貯留されたドレン水の貯留高さレベルが出口の高さレベルを超える場合に、トラップ部に貯留されたドレン水の一部を出口より排出する。樋部材は、ドレン受部材の出口より排出されたドレン水を受け入れ、蒸発皿に移送させる。蒸発皿に移送されたドレン水は、その後蒸発して処理されることになる（例えば、特許文献１参照）。
【先行技術文献】
【特許文献】
【０００６】
【特許文献１】特開平０９−２３１４５４号公報
【発明の概要】
【発明が解決しようとする課題】
【０００７】
ところで、上述したようなドレン水処理装置では、トラップ部にドレン水が必要量貯留するまでは、商品収容庫の内部は、ドレン受部材を通じて外部と連通状態になっている。特にドレン受部材が連通する排出孔は、蒸発器の下方側であって、庫内送風ファンにより吸い込まれて負圧となる領域を臨んで形成されているため、外気がドレン受部材を通じて商品収容庫内に進入してしまう結果、商品収容庫等の内部雰囲気を所望の温度に調整するのに時間を要し、消費電力量の増大化を招来していた。
【０００８】
本発明は、上記実情に鑑みて、商品収容庫等の内部雰囲気を所望の温度に効率良く調整することができ、しかも消費電力量の低減化を図ることができる自動販売機のドレン水処理装置を提供することを目的とする。
【課題を解決するための手段】
【０００９】
上記目的を達成するために、本発明の請求項１に係る自動販売機のドレン水処理装置は、自動販売機本体内部の商品収容庫で発生したドレン水を入口より導入して自身の内部を通過させ、出口を通じて前記商品収容庫の外部に排出するドレン受部材と、前記ドレン受部材から排出されたドレン水を受け入れ、所定の蒸発部位まで移送させる樋部材とを備えた自動販売機のドレン水処理装置において、前記ドレン受部材は、空気の通過を規制し、かつ毛管現象により水分の通過を許容するシート状の閉塞部材にて前記ドレン水を通過させるための通路を閉塞してなることを特徴とする。
【００１０】
また、本発明の請求項２に係る自動販売機のドレン水処理装置は、上述した請求項１において、前記ドレン受部材は、前記入口から前記出口に至る途中において、該入口及び該出口よりも相対的に下方となるトラップ部を有し、前記閉塞部材は、前記入口から前記トラップ部に至る途中の通路を閉塞する態様で配設され、かつ自身に切欠が形成された第１閉塞部と、前記トラップ部から前記出口に至る途中の通路を閉塞する態様で配設された第２閉塞部とを有することを特徴とする。
【発明の効果】
【００１１】
本発明によれば、ドレン受部材は、空気の通過を規制し、かつ毛管現象により水分の通過を許容するシート状の閉塞部材にてドレン水を通過させるための通路を閉塞してなるので、商品収容庫と外部との連通状態が遮断され、ドレン受部材を通じて外気が進入することを抑制することができる。これにより、商品収容庫等の内部雰囲気を所望の温度に効率良く調整することができ、しかも消費電力量の低減化を図ることができるという効果を奏する。
【図面の簡単な説明】
【００１２】
【図１】図１は、本発明の実施の形態であるドレン水処理装置が適用された自動販売機の内部構造を正面から見た場合を示す断面図である。
【図２】図２は、図１に示した自動販売機の内部構造を示す断面側面図である。
【図３】図３は、図２に示した自動販売機の要部を拡大して示す拡大断面側面図である。
【図４】図４は、図３に示したドレン水処理装置を構成するドレン受部材の構成を示す分解斜視図である。
【図５】図５は、図３に示したドレン水処理装置を構成するドレン受部材の内部構造を示す断面斜視図である。
【図６】図６は、図４及び図５に示したドレン受部材のトラップ部にドレン水が貯留した状態を示す断面側面図である。
【発明を実施するための形態】
【００１３】
以下に添付図面を参照して、本発明に係る自動販売機のドレン水処理装置の好適な実施の形態について詳細に説明する。
【００１４】
図１は、本発明の実施の形態であるドレン水処理装置が適用された自動販売機の内部構造を正面から見た場合を示す断面図である。ここで例示する自動販売機は、本体キャビネット１を備えている。
【００１５】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００１６】
図２は、図１に示した自動販売機の内部構造を示す断面側面図である。かかる図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００１７】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００１８】
そして搬出シュータ８の下方域には蒸発器２４及びヒータＨが配設してある。蒸発器２４は背面ダクトＤの前面側に配設してあり、機械室９に配設された圧縮機２１、凝縮器２２、膨張機構２３と冷媒配管２５を通じて順次接続されて冷凍サイクル２０を形成している。圧縮機２１は、吸引口を通じて冷媒を吸引し、吸引した冷媒を圧縮して高温高圧の状態（高温高圧冷媒）にして吐出口より吐出するものである。凝縮器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。膨張機構２３は、通過する冷媒を減圧して断熱膨張させるものである。
【００１９】
これら冷凍サイクル２０で冷媒を循環させることにより、圧縮機２１で圧縮された冷媒が凝縮器２２で凝縮され、その後に膨張機構２３で断熱膨張されて蒸発器２４を通過する。冷媒が蒸発器２４を通過する際に、該蒸発器２４が配設された商品収容庫３の内部空気との間で熱交換が行われて、自身が蒸発して内部空気を冷却する。蒸発した冷媒は圧縮機２１に吸引される。
【００２０】
冷却された内部空気は庫内送風ファンＦ１の駆動により商品収容庫３の内部を移動し、これにより該商品収容庫３の商品収納ラック６に収納された商品は所望の温度（例えば５℃）に冷却されることになる。
【００２１】
ヒータＨは、蒸発器２４の前面側に配設してある。このヒータＨは通電状態となることにより周囲空気を加熱するものである。ヒータＨにより加熱された空気は、庫内送風ファンＦ１の駆動により商品収容庫３の内部を移動し、これにより該商品収容庫３の商品収納ラック６に収納された商品は所望の温度（例えば５５℃）に加熱されることになる。
【００２２】
図２に示すように、自動販売機にはドレン水処理装置３０が配設してある。図３は、図２に示した自動販売機の要部を拡大して示す拡大断面側面図である。ここで例示するドレン水処理装置３０は、ドレン受部材４０と樋部材５０とを備えている。
【００２３】
図４及び図５は、それぞれ図３に示したドレン水処理装置３０を構成するドレン受部材４０の構成を示すもので、図４は分解斜視図、図５はドレン受部材４０の内部構造を示す斜視図である。これら図４及び図５に示すように、ドレン受部材４０は、商品収容庫３毎に設けてあり、排水パイプ４１とドレンキャップ４２とを備えて構成してある。
【００２４】
排水パイプ４１は、例えば樹脂材等から形成された円筒状をなしており、上端開口４１ａが対応する商品収容庫３の底部に形成された排出孔２６に一致する態様で商品収容庫３の底部に連設してある。この排水パイプ４１は、内部の中空部がドレン水の通路を構成している。ここで排出孔２６は、蒸発器２４の下方域に形成してあり、商品収容庫３の底部における排出孔２６の周辺部分は、該排出口に向けて漸次傾斜する態様で形成してある。
【００２５】
ドレンキャップ４２は、例えば樹脂材等から形成されたものであり、自身の内部にドレン水の通路を形成しており、嵌合部４２１、排出部４２２及びトラップ部４２３を備えて構成してある。嵌合部４２１は、後端部分に形成してあり、排水パイプ４１の外径に適合する内径を有する部分で、該排水パイプ４１の下端部分と嵌合する部位である。より詳細には、排水パイプ４１の下端面を自身の底部分４２１ａに載置させる態様で嵌合する部位である。尚、嵌合部４２１の底部分４２１ａには、排水パイプ４１を通過したドレン水をトラップ部４２３や排出部４２２に導くための矩形状の孔４２１ｂが形成してある。
【００２６】
排出部４２２は、前端部分に設けてあり、前面に開口を有する部位である。トラップ部４２３は、嵌合部４２１から排出部４２２に至る領域に設けてあり、自身の底部分４２３ａが嵌合部４２１の底部分４２１ａ及び排出部４２２の底部分４２２ａよりも下方となる部分である。尚、図４及び図５中の符号４４は、隔壁である。隔壁４４は、トラップ部４２３にある程度のドレン水が貯留された場合に、該ドレン水とともにドレンキャップ４２におけるドレン水の入口側と出口側とを区画するためのものである。
【００２７】
このような構成を有するドレン受部材４０においては、排水パイプ４１の上端開口４１ａがドレン水の入口を形成し、かつドレンキャップ４２の排出部４２２の前面開口４２２ｂがドレン水の出口を形成している。そして、かかる入口から出口に至る途中において、該入口及び該出口よりも相対的に下方となるトラップ部４２３を有している。
【００２８】
そして、このようなドレン受部材４０においては、閉塞部材６０が設けてある。閉塞部材６０は、例えばポリエチレン等からなる不織布を加工して構成されたシート状のものである。より詳細には、閉塞部材６０は、空気の通過を規制する一方、毛管現象により水の通過を許容する材質を有するシート体を加工して構成されたものである。
【００２９】
このような閉塞部材６０は、図４及び図５に示すように、途中で屈曲されて第１閉塞部６１と第２閉塞部６２とを有してなるものである。第１閉塞部６１は、排水パイプ４１の外径と略等しい外径を有する円板状の形態をなしている。この第１閉塞部６１は、ドレンキャップ４２の嵌合部４２１の底部分４２１ａに載置される態様で排水パイプ４１とドレンキャップ４２との間に介在して配設される。また、この第１閉塞部６１には、矩形状の切欠６１１が形成してある。このように第１閉塞部６１は、入口（４１ａ）からトラップ部４２３に至る途中の通路を閉塞する態様で配設され、かつ自身に切欠６１１が形成されている。
【００３０】
第２閉塞部６２は、第１閉塞部６１の前側部分より下方に向けて延在する部分であり、矩形状をなしている。この第２閉塞部６２は、トラップ部４２３から排出部４２２に至る通路を閉塞するのに十分な大きさを有している。尚、第２閉塞部６２が矩形状をなしているのは、トラップ部４２３から排出部４２２に至る通路の縦断面が矩形状をなしているからである。
【００３１】
このような第１閉塞部６１及び第２閉塞部６２を有する閉塞部材６０を設けることにより、ドレン受部材４０においては、ドレン水を通過する通路が当該閉塞部材６０に閉塞されることになる。
【００３２】
樋部材５０は、自動販売機の左右方向に沿って延在する長尺状のものであり、図示せぬ支持部材を介して各ドレン受部材４０の出口の下方域に延在する態様で配設してある。この樋部材５０は、ドレン受部材４０の出口より排出されたドレン水を、機械室９の所定の蒸発部位、すなわち圧縮機２１の周囲空気や凝縮器２２を通過した空気等が通過する部位に配設された図示せぬ蒸発皿に移送するためのものである。
【００３３】
以上のような構成を有するドレン水処理装置３０においては、対応する商品収容庫３の内部で生じたドレン水を次のようにして排出して処理することができる。
【００３４】
対応する商品収容庫３の加熱運転、すなわちヒータＨを通電状態にして商品収納ラック６に収納された商品を加熱する運転が行われている場合や、対応する商品収容庫３の冷却運転が開始された場合のように、商品収容庫３の内部にドレン水が発生していない場合や少量のドレン水しか発生していない場合には、ドレン水処理装置３０においては、第１閉塞部６１及び第２閉塞部６２を有する閉塞部材６０がドレン受部材４０のドレン水が通過可能な通路を閉塞しており、しかもかかる閉塞部材６０は空気の通過を規制するものであるので、商品収容庫３と外部との連通状態が遮断される。そのため、庫内送風ファンＦ１の駆動により排出孔２６が臨む領域が負圧となっても、ドレン受部材４０を通じて外気が進入することを抑制することができる。
【００３５】
一方、対応する商品収容庫３の冷却運転が十分に行われることにより、あるいは蒸発器２４に付着した霜を除去するための除霜運転が行われることにより、該商品収容庫３の内部にドレン水が発生すると、かかるドレン水は、排出孔２６を通じてドレン受部材４０の内部に進入する。つまり排水パイプ４１の上端開口４１ａである入口より進入する。入口より進入したドレン水は、自身の自重により下方に滴下し、閉塞部材６０を構成する第１閉塞部６１では、切欠６１１を通過、あるいは第１閉塞部６１を毛管現象により通過して、トラップ部４２３で貯留されることになる。このとき、トラップ部４２３で貯留されるドレン水の一部は、第２閉塞部６２を毛管現象により通過する。
【００３６】
そして、図６に示すように、トラップ部４２３で貯留されるドレン水の貯留高さが隔壁４４に達すると、ドレン受部材４０の入口側と出口側とはドレン水により閉塞される。その後トラップ部４２３で貯留するドレン水の貯留高さのレベルが排出部４２２の底部分４２１ａの高さレベルを超えると、一部のドレン水が排出部４２２に達して出口４２２ｂより排出される。つまりドレン受部材４０は、本体キャビネット１の商品収容庫３で発生したドレン水を入口４１ａより導入して自身の内部を通過させ、出口４２２ｂを通じて該商品収容庫３の外部に排出する。
【００３７】
出口４２２ｂより排出されたドレン水は、樋部材５０に受け入れられ、該樋部材５０を通じて蒸発皿まで移送され、その後に蒸発されて処理される。
【００３８】
以上説明したように、本発明の実施の形態である自動販売機のドレン水処理装置３０によれば、第１閉塞部６１及び第２閉塞部６２を有する閉塞部材６０がドレン受部材４０のドレン水が通過可能な通路を閉塞しており、しかもかかる閉塞部材６０は空気の通過を規制するものであるので、商品収容庫３と外部との連通状態が遮断され、ドレン受部材４０を通じて外気が進入することを抑制することができる。これにより、商品収容庫３等の内部空気を所望の温度に効率良く調整することができ、しかも消費電力量の低減化を図ることができる。
【００３９】
また上記ドレン水処理装置３０においては、入口４１ａからトラップ部４２３に至る途中の通路を閉塞する第１閉塞部６１は、切欠６１１が形成されているため、入口４１ａよりドレン水とともに異物が進入した場合に、該切欠６１１を通じてトラップ部４２３に導くことが可能になり、第１閉塞部６１が異物により目詰まり等が生じてしまうことを回避することができる。
【００４０】
以上、本発明の好適な実施の形態について説明したが、本発明はこれに限定されるものではなく、種々の変更を行うことができる。
【００４１】
上述した実施の形態では、閉塞部材６０は、第１閉塞部６１と第２閉塞部６２とを有しており、第１閉塞部６１には切欠６１１が形成されていたが、本発明においては、ドレン受部材４０の入口から出口に至る通路を閉塞することができれば、閉塞部材６０の形状等については限定しない。
【産業上の利用可能性】
【００４２】
以上のように、本発明に係る自動販売機のドレン水処理装置３０は、自動販売機本体内部に画成された商品収容庫３で発生したドレン水を所定の蒸発部位まで移送させるのに有用である。
【符号の説明】
【００４３】
１  本体キャビネット
３  商品収容庫
２４  蒸発器
３０  ドレン水処理装置
４０  ドレン受部材
４１  排水パイプ
４１ａ  上端開口（入口）
４２  ドレンキャップ
４２１  嵌合部
４２２  排出部
４２２ｂ  前面開口（出口）
４２３  トラップ部
４４  隔壁
５０  樋部材
６０  閉塞部材
６１  第１閉塞部
６１１  切欠
６２  第２閉塞部
Ｆ１  庫内送風ファン
Ｈ  ヒータ
【図１】
0005402601.tif 000002
【図２】
0005402601.tif 000003
【図３】
0005402601.tif 000004
【図４】
0005402601.tif 000005
【図５】
0005402601.tif 000006
【図６】
0005402601.tif 000007